(57)【要約】      （修正有）【課題】樹脂製の撮影レンズを用いた場合に温度条件等により合焦ポイントが変化した場合や、レンズ毎の製造上の個体差が存在する場合でも、効率よく合焦位置に撮影レンズを位置させることができるオートフォーカス機構付カメラを提供する。【解決手段】コントラストＡＦは、フォーカスレンズ４８を焦点調節全範囲に亘って所定量毎に移動して得られる被写体のコントラスト評価値がピークとなる位置を合焦位置として求め、該移動位置にフォーカスレンズ４８を移動させる方式であるが、このコントラストＡＦを基本として、温度センサ２１によって測定された撮影時のデータを不揮発メモリ８７に保存し、ＣＰＵ６４が、撮影時の環境温度及び過去の環境温度及び合焦位置のデータから撮影時のフォーカスレンズ４８の焦点調節範囲を決定し、フォーカス駆動部７８が、決定した焦点調節範囲でフォーカスレンズ４８を合焦駆動させる。【選択図】図５
2005077435.tif 000002
【特許請求の範囲】
【請求項１】
撮影レンズを焦点調節範囲にわたって移動させ、該撮影レンズが所定量移動するごとに撮像手段から出力される画像信号に基づいて被写体のコントラスト成分に応じた評価値を得、前記撮影レンズの移動位置と各移動位置ごとに得た前記評価値とに基づいて評価値がピークとなる移動位置を求め、この求めた移動位置に撮影レンズを移動させるオートフォーカス機構付カメラであって、
撮影状態のデータを測定する測定手段と、
測定した撮影状態のデータを保存する撮影状態データ保存手段と、
撮影時に当該撮影時の撮影状態データ及び過去の撮影状態データから撮影レンズの焦点調節範囲を決定する焦点調節範囲決定手段と、
決定した焦点調節範囲で前記撮影レンズを合焦駆動させる駆動手段と、からなるオートフォーカス機構付カメラ。
【請求項２】
前記撮影状態データ保存手段が保存する前記撮影状態のデータは、撮影時の撮影レンズ環境温度及び合焦位置を含むデータである請求項１のオートフォーカス機構付カメラ。
【請求項３】
前記撮影状態データ保存手段が保存する前記撮影状態のデータは、さらに合焦位置でのズーム位置のデータを含む請求項２のオートフォーカス機構付カメラ。
【請求項４】
撮影レンズを焦点調節範囲にわたって移動させ、合焦位置に撮影レンズを位置させるオートフォーカス機構付カメラであって、
撮影状態のデータを測定する測定手段と、
測定した撮影状態のデータを保存する撮影状態データ保存手段と、
撮影時に当該撮影時の撮影状態データ及び過去の撮影状態データから撮影レンズの焦点調節範囲を決定する焦点調節範囲決定手段と、
決定した焦点調節範囲で前記撮影レンズを合焦駆動させる駆動手段と、からなるオートフォーカス機構付カメラ。
【請求項５】
前記撮影状態データ保存手段が保存する前記撮影状態のデータは、撮影時の撮影レンズ環境温度及び合焦位置を含むデータである請求項４のオートフォーカス機構付カメラ。
【請求項６】
前記撮影状態データ保存手段が保存する前記撮影状態のデータは、さらに合焦位置でのズーム位置のデータを含む請求項５のオートフォーカス機構付カメラ。
【発明の詳細な説明】
【０００１】
【発明の属する技術分野】
本発明は、オートフォーカス機構付カメラに係り、特に撮影レンズを焦点調節範囲にわたって移動させ、合焦位置に撮影レンズを位置させるオートフォーカス機構付カメラに関する。
【０００２】
【従来の技術】
例えば、デジタルカメラなどで主流となっているコントラストＡＦは、撮影光学系のうち焦点調節に作用するフォーカスレンズを移動させながら撮像を行い、その出力画像信号から高周波成分を抽出して合焦のための評価値を算出し、この評価値が最大になるところ（コントラストが最大になるところ）にフォーカスレンズを移動させて合焦させるようにしている。
【０００３】
しかしながら、コントラストＡＦは、撮影レンズ、特にフォーカスレンズが樹脂製の場合、樹脂の性質上温度によって膨張・収縮などの変形が生じるため、環境温度が変化することによって合焦するポイントが変わってしまうことがある。
【０００４】
従来は、この変形を見込んだ焦点調節範囲にわたって撮影レンズを移動させ、合焦動作を行なっていた。そのため、合焦時間が長くなってしまう問題点があった。
【０００５】
下記特許文献１に記載の自動焦点調節装置は、手動によるフォーカス補正を記憶することによって使い勝手を向上させるものであるが、そもそも手動によるフォーカス補正は便利とはいえない。
【０００６】
下記特許文献２に記載のズームレンズは、温度による焦点ずれを、温度によって変形するレンズによって逆補正するものである。これは、補正のためにレンズを１枚追加しており、コスト上昇となっている。
【０００７】
【特許文献１】
特開平５−１００１４５号公報
【０００８】
【特許文献２】
特開平５−１３４１８３号公報
【０００９】
【発明が解決しようとする課題】
本発明は、デジタルカメラやフイルムカメラ（銀塩カメラ）を含むカメラにおいて、樹脂製の撮影レンズを用いた場合に温度条件等により合焦ポイントが変化した場合やカメラのレンズ毎の製造上個体差が存在する場合でも、効率よく合焦位置に撮影レンズを位置させることができるオートフォーカス機構付カメラを提供することを目的とする。
【００１０】
【課題を解決するための手段】
請求項１の本発明は、撮影レンズを焦点調節範囲にわたって移動させ、該撮影レンズが所定量移動するごとに撮像手段から出力される画像信号に基づいて被写体のコントラスト成分に応じた評価値を得、前記撮影レンズの移動位置と各移動位置ごとに得た前記評価値とに基づいて評価値がピークとなる移動位置を求め、この求めた移動位置に撮影レンズを移動させるオートフォーカス機構付カメラであって、
撮影状態のデータを測定する測定手段と、
測定した撮影状態のデータを保存する撮影状態データ保存手段と、
撮影時に当該撮影時の撮影状態データ及び過去の撮影状態データから撮影レンズの焦点調節範囲を決定する焦点調節範囲決定手段と、
決定した焦点調節範囲で前記撮影レンズを合焦駆動させる駆動手段と、からなるオートフォーカス機構付カメラ、からなる。
【００１１】
請求項１の本発明によれば、コントラストＡＦは、撮影レンズを焦点調節範囲にわたって移動させ、撮影レンズが所定量移動するごとに被写体のコントラスト成分に応じた評価値を収集し、前記撮影レンズの移動位置と各移動位置ごとに得た前記評価値とに基づいて評価値がピークとなる移動位置を求め、この求めた移動位置に撮影レンズを移動させるしくみになっているが、上記撮影レンズを焦点調節範囲にわたって移動させる移動範囲を特定の移動範囲にする。すなわち、測定手段によって測定された撮影状態のデータを撮影状態データ保存手段が保存し、焦点調節範囲決定手段が、撮影時の撮影状態データ及び過去の撮影状態データから撮影時に撮影レンズの焦点調節範囲を決定する。駆動手段が、決定した焦点調節範囲で前記撮影レンズを合焦駆動させる。
【００１２】
前記撮影状態データ保存手段が保存する撮影状態のデータは、撮影時の撮影レンズ環境温度及び合焦位置を含むデータとすることができる。
【００１３】
前記撮影状態データ保存手段が保存する前記撮影状態のデータは、さらに合焦位置でのズーム位置のデータを含むデータとすることができる。
【００１４】
請求項４の本発明は、撮影レンズを焦点調節範囲にわたって移動させ、合焦位置に撮影レンズを位置させるオートフォーカス機構付カメラであって、
撮影状態のデータを測定する測定手段と、
測定した撮影状態のデータを保存する撮影状態データ保存手段と、
撮影時に当該撮影時の撮影状態データ及び過去の撮影状態データから撮影レンズの焦点調節範囲を決定する焦点調節範囲決定手段と、
決定した焦点調節範囲で前記撮影レンズを合焦駆動させる駆動手段と、からなるオートフォーカス機構付カメラ、からなる。
【００１５】
請求項４の本発明によれば、撮影レンズを焦点調節範囲にわたって移動させ、合焦位置に撮影レンズを位置させるしくみになっているが、上記撮影レンズを焦点調節範囲にわたって移動させる移動範囲を特定の移動範囲にする。すなわち、測定手段によって測定された撮影状態のデータを撮影状態データ保存手段が保存し、焦点調節範囲決定手段が、撮影時の撮影状態データ及び過去の撮影状態データから撮影時に撮影レンズの焦点調節範囲を決定する。駆動手段が、決定した焦点調節範囲で前記撮影レンズを合焦駆動させる。
【００１６】
請求項４の本発明は、オートフォーカス機構付カメラであり、デジタルカメラ、フイルムカメラを含むものである。
【００１７】
前記撮影状態データ保存手段が保存する撮影状態のデータは、撮影時の撮影レンズ環境温度及び合焦位置を含むデータとすることができる。
【００１８】
前記撮影状態データ保存手段が保存する前記撮影状態のデータは、さらに合焦位置でのズーム位置のデータを含むデータとすることができる。
【００１９】
【発明の実施の形態】
以下、添付図面に従って本発明に係るオートフォーカス機構付カメラの好ましい実施の形態について詳説する。本形態では、オートフォーカス機構付カメラとしてデジタルカメラを例にとって説明する。
【００２０】
図１は、本発明が適用されたデジタルカメラの正面側外観図である。このデジタルカメラ１０の前面には、撮影レンズ１２、ファインダー窓１４、ストロボ発光部１６、調光センサ１７、及び温度センサ２１が設けられ、カメラ上面には、シャッターボタン１８及び電源スイッチ２０が配設されている。また、グリップ部２２と反対側のカメラ側面には、メモリカード２４を装着するためのカードスロット２６が設けられている。
【００２１】
撮影レンズ１２にはズームレンズが適用され、撮影レンズ１２の後方にＣＣＤイメージセンサ（図１中不図示、図３において符号５２として記載）が配置されている。シャッターボタン１８は２段階式に構成され、シャッターボタン１８を軽く押して止める「半押し」の状態（すなわち、いわゆるＳ１の状態）でコントラストＡＦ（ＡＦ）及び自動露出制御（ＡＥ）が作動してＡＦとＡＥをロックし、「半押し」から更に押し込む「全押し」の状態（すなわち、いわゆるＳ２の状態）で撮影が実行される。
【００２２】
電源スイッチ２０は、モード切換スイッチと兼用されており、電源ＯＦＦとなる「ＯＦＦ位置」、静止画撮影モードで電源ＯＮとなる「撮影ＯＮ位置」、及び再生モードで電源ＯＮとなる「再生ＯＮ位置」の３ポジションを切り換えることができる。なお、本例のような電源スイッチ（以下、電源兼用モードスイッチという）２０に代えて、電源ＯＮ／ＯＦＦのみの電源スイッチと、静止画撮影モード及び再生モードを切り換えるモードダイヤル等のモード切換手段を設けてもよい。
【００２３】
図２は、デジタルカメラ１０の背面側外観図である。デジタルカメラ１０の背面には、ファインダー２８、液晶モニタ３０、ズームスイッチ３２、多機能の十字ボタン３４、ＡＥロックボタン３６、メニューキー３８、実行キー４０及びキャンセルキー４２が設けられている。液晶モニタ３０は、撮影時に画角確認用の電子ファインダーとして使用できるとともに、撮影した画像のプレビュー画やメモリカード２４から読み出した再生画像等を表示可能な表示手段である。また、十字ボタン３４を使用したメニューの選択や各メニューにおける各種項目の設定なども液晶モニタ３０の表示画面を用いて行われる。
【００２４】
ズームスイッチ３２は、上下方向に操作可能なレバースイッチで構成され、該スイッチを上方向に操作することで望遠（ＴＥＬＥ）方向にズーム移動し、下方向に操作することで広角（ＷＩＤＥ）方向にズーム移動する。十字ボタン３４は、上下左右のいずれかの縁部を押圧することによって、対応する４方向（上、下、左、右）の指示を入力できるようにしたもので、メニュー画面における各種設定項目の選択や設定内容の変更を指示する操作ボタンとして使用されるとともに、電子ズームの倍率調整や再生コマの送り／戻しを指示する手段として用いられる。
【００２５】
メニューキー３８は、各モードの通常画面からメニュー画面へ遷移させる時に使用される。実行キー４０は、選択内容の確定、処理の実行（確認）指示の時などに使用される。キャンセルキー４２は、メニューから選んだ項目の取消（キャンセル）や一つ前の操作状態に戻る時などに使用される。
【００２６】
撮影者は、ファインダー２８又は液晶モニタ３０に映し出されるリアルタイム画像（スルー画）を確認しながら、ズームスイッチ３２を操作して画角を決定し、シャッターボタン１８を押下して撮影を行う。
【００２７】
図３は、デジタルカメラ１０の内部構成を示すブロック図である。撮影レンズ１２は、固定レンズ４４、変倍レンズ４６Ａ、補正レンズ４６Ｂ及びフォーカスレンズ４８の４群型インナーフォーカス式ズームレンズで構成されている。
【００２８】
フォーカスレンズ４８は樹脂製である。
【００２９】
変倍レンズ４６Ａと補正レンズ４６Ｂは、図示せぬカム機構によって両者の位置関係が規制されながら光軸に沿って移動し、焦点距離を変更する。なお、説明の便宜上、変倍レンズ４６Ａと補正レンズ４６Ｂから成る変倍光学系を「ズームレンズ４６」と呼ぶことにする。
【００３０】
撮影レンズ１２を通過した光は、絞り５０により光量が調節された後、ＣＣＤイメージセンサ（以下、ＣＣＤという。）５２に入射する。ＣＣＤ５２の受光面には、フォトセンサが平面的に配列されており、撮影レンズ１２を介してＣＣＤ５２の受光面に結像された被写体像は、各フォトセンサによって入射光量に応じた量の信号電荷に変換される。なお、ＣＣＤ５２は、シャッターゲートパルスのタイミングによって各フォトセンサの電荷蓄積時間（シャッタースピード）を制御する、いわゆる電子シャッター機能を有している。
【００３１】
各フォトセンサに蓄積された信号電荷は、ＣＣＤドライバ５４から与えられるパルスに基づいて信号電荷に応じた電圧信号（画像信号）として順次読み出される。ＣＣＤ５２から出力された画像信号は、アナログ処理部５６に送られる。アナログ処理部５６は、サンプリングホールド回路、色分離回路、ゲイン調整回路等の信号処理回路を含み、このアナログ処理部５６において、相関二重サンプリング（ＣＤＳ）処理並びにＲ，Ｇ，Ｂの各色信号に色分離処理され、各色信号の信号レベルの調整（プリホワイトバランス処理）が行われる。
【００３２】
アナログ処理部５６から出力された信号は、Ａ／Ｄ変換器５８によりデジタル信号に変換された後、メモリ６０に格納される。タイミングジェネレータ（ＴＧ）６２は、ＣＰＵ６４の指令に従ってＣＣＤドライバ５４、アナログ処理部５６及びＡ／Ｄ変換器５８に対してタイミング信号を与えており、このタイミング信号によって各回路の同期がとられている。
【００３３】
メモリ６０に格納されたデータは、バス６６を介して信号処理部６８に送られる。信号処理部６８は、輝度・色差信号生成回路、ガンマ補正回路、シャープネス補正回路、コントラスト補正回路、ホワイトバランス補正回路等を含むデジタルシグナルプロセッサ（ＤＳＰ）で構成された画像処理手段であり、ＣＰＵ６４からのコマンドに従って画像信号を処理する。
【００３４】
信号処理部６８に入力された画像データは、輝度信号（Ｙ信号）及び色差信号（Ｃｒ，Ｃｂ  信号）に変換されるとともに、ガンマ補正等の所定の処理が施された後、メモリ６０に格納される。撮影画像を表示出力する場合、メモリ６０から画像データが読み出され、表示用メモリ７０に転送される。表示用メモリ７０に記憶されたデータは、表示用の所定方式の信号（例えば、ＮＴＳＣ方式のカラー複合映像信号）に変換された後、Ｄ／Ａ変換器７２を介して液晶モニタ（ＬＣＤ）３０に出力される。こうして、当該画像データの画像内容が液晶モニタ３０の画面上に表示される。
【００３５】
ＣＣＤ５２から出力される画像信号によってメモリ６０内の画像データが定期的に書き換えられ、その画像データから生成される映像信号が液晶モニタ３０に供給されることにより、ＣＣＤ５２を介して入力する画像がリアルタイムに液晶モニタ３０に表示される。撮影者は、液晶モニタ３０に映し出される画像（スルー画）、或いは光学式のファインダー２８によって撮影画角を確認することができる。
【００３６】
撮影者がズームスイッチ３２を操作すると、その指示信号がＣＰＵ６４に入力され、ＣＰＵ６４はズームスイッチ３２からの信号に基づいてズーム駆動部７４を制御してズームレンズ４６をテレ（ＴＥＬＥ）方向又はワイド（ＷＩＤＥ）方向に移動させる。ズーム駆動部７４は図示せぬモータを含み、該モータの駆動力によってズームレンズ４６が駆動される。ズームレンズ４６の位置（ズーム位置）は、ズーム位置センサ７６によって検出され、該センサ７６の検出信号はＣＰＵ６４に入力される。
【００３７】
同様に、フォーカス駆動部７８は図示せぬモータを含み、該モータの駆動力によってフォーカスレンズ４８が光軸に沿って前後動する。フォーカスレンズ４８の位置（フォーカス位置）は、フォーカス位置センサ８０によって検出され、該センサ８０の検出信号はＣＰＵ６４に入力される。
【００３８】
電源兼用モードスイッチ２０によって静止画撮影モードが設定され、シャッターボタン１８が押下されると、撮影開始指示（レリーズＯＮ）信号が発せられる。ＣＰＵ６４は、レリーズＯＮ信号を検知して記録用の撮像動作を実行する。すなわち、ＣＰＵ６４は、後述する評価値演算の結果に基づいてフォーカス駆動部７８を制御してフォーカスレンズ４８を合焦位置に移動させるとともに、絞り５０の開口径やＣＣＤ５２の電子シャッターを制御することにより露出制御を行う。オートフォーカス制御のために、ＣＰＵ６４は温度センサ２１に環境温度を測定させ、測定した温度情報をＣＰＵ６４が受け取り、ＣＰＵ６４はコマンドをフォーカス駆動部７８に送ってフォーカスレンズ４８の移動を制御する。また、露出制御においてもＣＰＵ６４は必要に応じてストロボ制御回路８２にコマンドを送り、ストロボ発光部１６の発光を制御する。
【００３９】
こうして、シャッターボタン１８の押下操作に応動して、記録用の画像データの取り込みが開始される。画像データを圧縮記録するモードが選択されている場合、ＣＰＵ６４は圧縮伸張回路８４にコマンドを送る。圧縮伸張回路８４は、メモリ６０に取り込まれた画像データをＪＰＥＧその他の所定の形式に従って圧縮する。
【００４０】
圧縮された画像データは、カードインターフェース８６を介してメモリカード２４に記録される。非圧縮の画像データを記録するモード（非圧縮モード）が選択されている場合には、圧縮伸張回路８４による圧縮処理は省略され、非圧縮のまま画像データがメモリカード２４に記録される。
【００４１】
電源兼用モードスイッチ２０によって再生モードが設定されると、メモリカード２４から画像ファイルが読み出される。読み出された画像データは、必要に応じて圧縮伸張回路８４によって伸張処理され、表示用メモリ７０を介して液晶モニタ３０に出力される。
【００４２】
ＣＰＵ６４は、本カメラシステムの各回路を統括制御する制御部である。ＣＰＵ６４は、電源兼用モードスイッチ２０、シャッターボタン１８、ズームスイッチ３２その他の操作部から受入する入力信号に基づき、対応する回路の動作を制御するとともに、ストロボ制御、液晶モニタ３０における表示制御、オートフォーカス（ＡＦ）制御及び自動露出（ＡＥ）制御等を行う。
【００４３】
ＲＯＭ５９には、各種制御を行うためのプログラムやデータ値が格納されている。
【００４４】
シャッターボタン１８を全押ししたときの、温度センサ２１で測定された環境温度及び当該環境温度での合焦位置の情報は、不揮発メモリ８７に記憶される。シャッターボタン１８を全押ししたときのズームレンズの位置も不揮発メモリ８７に記憶される。
【００４５】
ここでオートフォーカス制御について説明する。
【００４６】
Ａ／Ｄ変換器５８によってデジタル信号に変換された画像信号は、評価値演算部８８に入力される。評価値演算部８８は、高周波成分抽出回路９０と積算回路９２とを有し、入力される画像信号のうちＧ成分のデータをサンプリングしてＡＦ検出対象エリア（以下「フォーカスエリア」という）内での高周波成分を抽出するとともにその絶対値をとり、フォーカスエリア内で絶対値データを積算して得られた値（評価値に相当）をＣＰＵ６４に提供する。
【００４７】
ＡＦ動作時にＣＰＵ６４は、図４（Ｂ）に示すようにフォーカスレンズ４８を焦点調節領域内で至近から無限遠（又は無限遠から至近）の方向に移動させながら、複数のＡＦ検出ポイント（サーチポイント）で画像中央部分のコントラストを検出し、図４（Ａ）に示すようにサーチポイントごとに評価値（黒丸で示す）を算出する。そして、各ポイントで算出された評価値を総合して、評価値が最大となるレンズ位置を合焦位置として決定し、求めた合焦位置にフォーカスレンズ４８を移動させるようにフォーカス駆動部７８を制御する。
【００４８】
画像中央部分のコントラストが明瞭でない又は暗いなどの理由で評価値が算出できそうもない場合は被写体の明るさを検出し、その明るさに応じて発光度合を調整したＡＦ補助光としてのストロボ発光部１６のＬＥＤを発光させて評価値を得る。ストロボ発光部１６は、撮影時のストロボとして機能すると共にＡＦ補助光の発光部としても機能する。
【００４９】
図５〜図９を用いて本実施の形態の作用を説明する。
【００５０】
図５は、図３のうち本発明を実行するハード構成を抽出した構成図、図６（Ａ）は、不揮発メモリに書き込まれるデータの撮影データ番号と撮影温度との対応表、図６（Ｂ）は、撮影時温度での合焦位置により、焦点調節範囲が規定される状態を示した図、図７は、焦点調節範囲の温度カメラ間のばらつきを示した図、図８は、図７のカメラ２の温度と焦点調節範囲との相関を示した図、図９は、カメラにおいて温度測定から合焦、撮影状態のデータ記録までの流れを示したフローチャート、である。
【００５１】
まず、図５及び図９を用いてデジタルカメラにおいて温度測定から合焦、撮影状態のデータ記録までの流れを説明する。
【００５２】
デジタルカメラ１０の周囲の環境温度を温度センサ２１で測定する（ステップ２０２）。測定した温度の温度検出信号はＣＰＵ６４に送られる。ＣＰＵ６４は、過去の測定データがあるかどうか不揮発メモリ８７を検索する（ステップ２０４）。不揮発メモリ８７には、図６に示すように、温度センサ２１で測定された環境温度及び当該環境温度での合焦位置の情報が記憶されている。検索の結果、過去の測定データがある場合は、その測定データでの温度と前記測定した温度とを比較し、それら温度に所定以上の差がある場合には過去の測定データでの温度の合焦位置を焦点調節範囲からはずす。すなわち、過去の測定データの存在により焦点調節範囲（サーチ範囲）が更新される。更新された範囲でレンズ駆動されるようＣＰＵ６４から駆動情報がフォーカス駆動部７８に送られ、フォーカス駆動部７８からレンズ駆動信号がフォーカスレンズ４８に送られ、フォーカスレンズ４８が焦点調節駆動される（ステップ２０６）。
【００５３】
図６に示すように、例えば、カメラからの距離が５０ｃｍから∞までの距離を撮影できるカメラであれば、常温（例えば、２５°Ｃ）で焦点調節駆動する範囲が一定の範囲で定義される（図６（Ｂ）のＰ）。しかし、撮影レンズが樹脂製の場合、温度によって収縮・膨張などの変形が生じるため、合焦するためにレンズを駆動する範囲を拡大しなければならない（図６（Ｂ）のＱ）。ところが、レンズの変形度合いにはばらつきがあり、変形が小さいものについてはレンズ駆動の拡大範囲においてその拡大の量は小さくて構わない。そこで、過去の撮影結果による合焦位置を不揮発メモリに記憶することによって、そのカメラのレンズ特性を判断し、レンズ駆動範囲を狭める。こうすることにより、合焦にかかる所要時間を短縮することが可能となる。
【００５４】
ステップ２０６の結果、合焦したかどうか判断する（ステップ２０８）。合焦していない場合はステップ２０６に戻る。合焦した場合は、シャッターボタン１８全押しにより１枚撮影される（ステップ２１４）。合焦位置が測定され（ステップ２１６）、当該合焦位置とステップ２０２で測定された環境温度とが不揮発メモリ８７に記録される（ステップ２１８）。ここで処理が終了する。
【００５５】
なお、ステップ２０４で過去の測定データが存在しない場合には、初期値の焦点調節範囲（サーチ範囲）にてフォーカスレンズ４８が焦点調節駆動される（ステップ２１０）。ステップ２１０の結果、合焦したかどうか判断する（ステップ２１２）。合焦していない場合はステップ２１０に戻る。合焦した場合は、シャッターボタン１８全押しにより１枚撮影される（ステップ２１４）。
【００５６】
焦点調節範囲の温度・カメラ間のばらつきについて説明する。
【００５７】
図７において、カメラ１の焦点調節範囲（サーチ範囲）は、レンズ温度が１０℃〜３０℃の場合だと３００で囲んだ領域となる。カメラ２の焦点調節範囲（サーチ範囲）は、レンズ温度が１０℃〜３０℃の場合だと３０２で囲んだ領域となる。カメラ１、カメラ２の両方の焦点調節範囲（サーチ範囲）を合わせた領域は、レンズ温度が１０℃〜３０℃の場合だと３０４で囲んだ領域となる。３００、３０２、３０４は、すべてレンズ温度が上昇するにつれてサーチ範囲の単位パルス数が上昇していく領域になっている。同じカメラでも例えば１０℃と２０℃の場合では、単位パルス数がずれており、その”ずれ”分が温度によるばらつきとなる。同じカメラでも温度によってサーチすべき範囲が変わる。
【００５８】
図７をみると、カメラ１のサーチ範囲３００とカメラ２のサーチ範囲３０２とでは、単位パルス数でずれており、この”ずれ”がカメラによるばらつきとなる。すなわち、カメラ１のレンズ特性の場合、３００の領域をサーチすればよく、カメラ２のレンズ特性の場合、３０２の領域をサーチすればよい。
【００５９】
３０４は、カメラ１とカメラ２のサーチ範囲を合わせた領域なので、どの温度でもサーチ範囲の幅が大きい。したがって、カメラ１、カメラ２に関係なくサーチ範囲を設定する場合には３０４の領域をサーチすることになり、合焦位置を探すまで時間がかかる。
【００６０】
ここで、カメラ２の場合、合焦する領域は３０２の領域を越えることはあり得ない（図８の黒点参照）。そのため、ある程度の枚数の撮影がされた時点でカメラ２の温度、単体ごとのばらつき範囲は推定が可能となる。すなわち、過去の環境温度毎の合焦位置データをもとにサーチ範囲を３０４から３０２の領域に短縮する。これにより、合焦位置を探すまで時間がかからない。また、撮影を繰り返すにしたがってサーチ範囲がどんどん限定された範囲に確定していくので、だんだん合焦にかかる時間が短縮される。
【００６１】
なお、過去の撮影状態データに合焦位置でのズーム位置を含ませることもできる。こうすることにより、ズームさせた場合に合焦サーチする範囲を過去のデータから限定させていくことができ、合焦位置を探すまでの時間を短縮させることができる。
【００６２】
上記実施の形態では、デジタルカメラを例にとって説明したが、本発明はフイルムカメラ（銀塩カメラ）でも適用可能である。この場合、本発明に関する機構は、図５に示した構成が基本的に採用できる。
【００６３】
【発明の効果】
本発明によれば、合焦に必要な動作時間を短縮させることができ、撮影を繰り返すことにより合焦にかかる時間が短縮される。
【図面の簡単な説明】
【図１】本発明が適用されたデジタルカメラの正面側外観図。
【図２】デジタルカメラの背面側外観図。
【図３】デジタルカメラの内部構成を示すブロック図。
【図４】（Ａ）はサーチポイントごとに評価値を算出する状態を示した図、（Ｂ）はフォーカスレンズを焦点調節領域内で至近から無限遠の方向に移動させながら複数のＡＦ検出ポイントで画像中央部分のコントラストを検出する状態を示した図。
【図５】図３のうち本発明を実行するハード構成を抽出した構成図。
【図６】（Ａ）は、不揮発メモリに書き込まれるデータの撮影データ番号と撮影温度との対応表、（Ｂ）は、撮影時温度での合焦位置により、焦点調節範囲が規定される状態を示した図。
【図７】焦点調節範囲の温度カメラ間のばらつきを示した図。
【図８】図７のカメラ２の温度と焦点調節範囲との相関を示した図。
【図９】カメラにおいて温度測定から合焦、撮影状態のデータ記録までの流れを示したフローチャート。
【符号の説明】
１０…デジタルカメラ、１２…撮影レンズ、１８…シャッターボタン、２１…温度センサ、３２…ズームスイッチ、４４…固定レンズ、４６…ズームレンズ、４８…フォーカスレンズ、５２…ＣＣＤ、６４…ＣＰＵ、７４…ズーム駆動部、７６…ズーム位置センサ、７８…フォーカス駆動部、８０…フォーカス位置センサ、８７…不揮発メモリ、８８…評価値演算部、９０…高周波成分抽出回路、９２…積算回路
【図１】
2005077435.tif 000003
【図２】
2005077435.tif 000004
【図３】
2005077435.tif 000005
【図４】
2005077435.tif 000006
【図５】
2005077435.tif 000007
【図６】
2005077435.tif 000008
【図７】
2005077435.tif 000009
【図８】
2005077435.tif 000010
【図９】
2005077435.tif 000011